(57)【要約】【課題】コイルの高密度化に資することが可能なレンズ駆動装置を提供する。【解決手段】スリーブ１３を備えた移動体と、スリーブ１３に巻き付けられるコイル１８と、を有するレンズ駆動装置１で、スリーブ１３は、光軸方向を軸方向として形成され、コイル１８が巻かれるコイル巻回部（第１のコイル巻回部１３１等）と、コイル１８を案内するコイルガイド部（第１のコイルガイド部１３３等）と、を備え、コイルガイド部は、少なくとも、コイル巻回部の軸方向に対して傾斜するガイド部（傾斜ガイド部１３３ａ等）を備えている。【選択図】図４
2009053573.tif 000002
【特許請求の範囲】
【請求項１】
レンズを保持する保持部材を備えるとともに、光軸方向に移動可能な移動体と、
前記保持部材に巻き付けられるとともに、前記移動体を光軸方向に駆動するコイルと、を有するレンズ駆動装置において、
前記保持部材は、光軸方向を軸方向として形成され、コイルが巻かれるコイル巻回部と、前記コイルを案内するコイルガイド部と、を備え、
前記コイルガイド部は、少なくとも、前記コイル巻回部の軸方向に対して傾斜する傾斜ガイド部を備えていることを特徴とするレンズ駆動装置。
【請求項２】
前記コイルガイド部は、前記コイル巻回部の軸方向に傾斜して対向する第１の傾斜ガイド部及び第２の傾斜ガイド部を備え、
前記第１の傾斜ガイド部及び前記第２の傾斜ガイド部の軸方向一方側における離間間隔と、前記第１の傾斜ガイド部及び前記第２の傾斜ガイド部の軸方向他方側における離間間隔とは異なることを特徴とする請求項１記載のレンズ駆動装置。
【請求項３】
前記傾斜ガイド部の軸方向他方側先端部には方向支持部が形成されており、一方の傾斜ガイド部で案内されたコイルは、他方の傾斜ガイド部の方向支持部によって前記コイル巻回部に引導されることを特徴とする請求項１又は２記載のレンズ駆動装置。
【請求項４】
前記コイルガイド部は、前記軸方向に沿って第１のコイルガイド部と第２のコイルガイド部を備えることを特徴とする請求項１から３のいずれか記載のレンズ駆動装置。
【請求項５】
前記第１のコイルガイド部と前記第２のコイルガイド部との間に第１のコイル巻回部が形成されるとともに、前記第２のコイルガイド部より撮像素子側に第２のコイル巻回部が形成され、
前記コイルは、いずれか一方のコイルガイド部に案内されて一方のコイル巻回部に巻回されるとともに、他方のコイルガイド部に案内されて他方のコイル巻回部に巻回されることを特徴とする請求項４記載のレンズ駆動装置。
【請求項６】
前記他方のコイルガイド部には、前記他方のコイル巻回部に向かって低くなる傾斜部が形成されていることを特徴とする請求項５記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１参照）。
【０００４】
特許文献１に開示されたレンズ駆動装置は、鏡筒と、可動レンズを有し鏡筒に対して光軸方向へ移動される可動部と、厚み方向が光軸方向に一致された付勢用板バネと、を有している。また、この付勢用板バネは、可動部を保持する保持部と弾性変形可能とされ、可動部を光軸方向へ付勢するバネ部と、鏡筒に取り付けられる被取付け部と、を有している。そして、付勢用板バネのバネ部が、光軸方向に直交する面内において可動部に生じる移動力を抑制するように構成されている。
【０００５】
ここで、付勢用板バネにはコイル接続部が一体的に形成されており、このコイル接続部は、コイルホルダーのコイル巻回用突部と隣接して位置されている。そして、コイル巻回用突部に巻回された駆動用コイルの各端部は、コイル接続部と半田によって電気的に接続されている。
【０００６】
【特許文献１】特開２００６−２２７１０３号公報（段落番号［００８５］、図１４）
【発明の開示】
【発明が解決しようとする課題】
【０００７】
しかしながら、特許文献１に開示された従来のレンズ駆動装置では、駆動コイルは円環状に所定数巻回されて形成され、コイルホルダーの外周面に取付けられている。近年の携帯電話搭載カメラの小型化に伴って、磁気回路を設計するスペースが狭まる中、円環状に巻回されたコイルのスペースも限られてきている。そのため、限られたスペース内に高密度に巻回されたコイルを配置することが求められている。しかし、コイルの巻き始めは、巻き乱れ等が発生しやすく、例えば、巻回されたコイルが互いに密着せずに隙間が形成される。この状態で重ねてコイルを巻回すると、上記隙間内にコイルが入り込むことになり、あるいは、この隙間が残されたままでコイルの巻回がなされる。このため、巻き終えたコイルの表面は、外周面が部分的に膨らみ、コイルの長さがコイルごとに変動し、抵抗値のばらつきを生じるという問題がある。
【０００８】
本発明は、以上の点に鑑みてなされたものであり、その目的は、コイルの高密度化に資することが可能なレンズ駆動装置を提供することにある。
【課題を解決するための手段】
【０００９】
以上のような課題を解決するために、本発明は、以下のものを提供する。
【００１０】
（１）  レンズを保持する保持部材を備えるとともに、光軸方向に移動可能な移動体と、前記保持部材に巻き付けられるとともに、前記移動体を光軸方向に駆動するコイルと、を有するレンズ駆動装置において、前記保持部材は、光軸方向を軸方向として形成され、コイルが巻かれるコイル巻回部と、前記コイルを案内するコイルガイド部と、を備え、前記コイルガイド部は、少なくとも、前記コイル巻回部の軸方向に対して傾斜する傾斜ガイド部を備えていることを特徴とするレンズ駆動装置。
【００１１】
本発明によれば、レンズを保持する保持部材を備えた移動体と、保持部材に巻き付けられるコイルと、を有するレンズ駆動装置で、保持部材に、コイルが巻かれるコイル巻回部と、コイルを案内するコイルガイド部とを設け、このコイルガイド部には、少なくとも、コイル巻回部の軸方向に対して傾斜する傾斜ガイド部が設けられていることとしたので、まず、コイルガイド部によってコイルの巻き始めから整列巻きをすることができ、ひいてはコイルを高密度で巻回することができる。加えて、本発明では傾斜ガイド部が設けられているため、コイルに無理な屈折を与えることなく、コイルをコイル巻回部にガイドすることができる（例えば、屈折させることに起因した撓みが生じるのを防ぐことができる）。
【００１２】
（２）  前記コイルガイド部は、前記コイル巻回部の軸方向に傾斜して対向する第１の傾斜ガイド部及び第２の傾斜ガイド部を備え、前記第１の傾斜ガイド部及び前記第２の傾斜ガイド部の軸方向一方側における離間間隔と、前記第１の傾斜ガイド部及び前記第２の傾斜ガイド部の軸方向他方側における離間間隔とは異なることを特徴とするレンズ駆動装置。
【００１３】
本発明によれば、上述したコイルガイド部には、前記コイル巻回部の軸方向に傾斜して対向する第１の傾斜ガイド部及び第２の傾斜ガイド部が設けられ、これらの傾斜ガイド部の軸方向一方側における離間間隔と、これらの傾斜ガイド部の軸方向他方側における離間間隔とは異なることとしたので、コイルガイド部によってコイルの巻き始めから整列巻きをすることができ、ひいてはコイルを高密度で巻回することができる。特に、２個の傾斜ガイド部を設けることで、保持部材の周方向において、どちらからも巻回できることから、巻回時に方向決めが不要となり、作業効率を向上させることができる。
【００１４】
また、このような構成とすることで、第１の傾斜ガイド部と第２の傾斜ガイド部との間には、コイル引導口が形成される。したがって、このコイル引導口を通じて、コイルをコイル巻回部の巻回面にガイドすることができる。
【００１５】
（３）  前記傾斜ガイド部の軸方向他方側先端部には方向支持部が形成されており、一方の傾斜ガイド部で案内されたコイルは、他方の傾斜ガイド部の方向支持部によって前記コイル巻回部に引導されることを特徴とするレンズ駆動装置。
【００１６】
本発明によれば、上述した傾斜ガイド部の軸方向他方側先端部には方向支持部が形成されており、一方の傾斜ガイド部で案内されたコイルは、他方の傾斜ガイド部の方向支持部によってコイル巻回部に引導されることとしたので、傾斜ガイド部によってコイル巻回部に鈍角で入ったコイルを、整列巻きのために更に鈍角で整列巻きに引導することができる。
【００１７】
（４）  前記コイルガイド部は、前記軸方向に沿って第１のコイルガイド部と第２のコイルガイド部を備えることを特徴とするレンズ駆動装置。
【００１８】
本発明によれば、上述したコイルガイド部は、第１のコイルガイド部と第２のコイルガイド部を備えることとしたので、例えば、第１のコイル巻回部と第２のコイル巻回部とを巻回する方向を逆にすることができ、設計の自由度を広げることができる。
【００１９】
（５）  前記第１のコイルガイド部と前記第２のコイルガイド部との間に第１のコイル巻回部が形成されるとともに、前記第２のコイルガイド部より撮像素子側に第２のコイル巻回部が形成され、前記コイルは、いずれか一方のコイルガイド部に案内されて一方のコイル巻回部に巻回されるとともに、他方のコイルガイド部に案内されて他方のコイル巻回部に巻回されることを特徴とするレンズ駆動装置。
【００２０】
本発明によれば、被写体側から順に、第１のコイルガイド部，第１のコイル巻回部，第２のコイルガイド部，第２のコイル巻回部，撮像素子という順番で配置されているので、第１のコイルガイド部と第２のコイルガイド部を仕切る部材が一部材（例えば第１のコイル）で済むため、部品点数の削減と省スペース化を図ることができる。
【００２１】
（６）  前記他方のコイルガイド部には、前記他方のコイル巻回部に向かって低くなる傾斜部が形成されていることを特徴とするレンズ駆動装置。
【００２２】
本発明によれば、上述した他方のコイルガイド部には、他方の巻回部に向かって低くなる傾斜部（例えば傾斜面）が形成されていることとしたので、一方のコイル巻回部で巻回されたコイルは宙吊りのような状態ではなく、傾斜部上に載置しながら、第２のコイル巻回部へコイル先端を引導することができ、例えば、レンズ駆動装置を光軸方向に移動している際、他の部材等に接触、または断線することを防止することができる。
【発明の効果】
【００２３】
本発明に係るレンズ駆動装置によれば、コイルの整列巻きを容易にすることができ、ひいてはコイルの高密度化に資することが可能なレンズ駆動装置を図ることができる。
【発明を実施するための最良の形態】
【００２４】
以下、本発明を実施するための最良の形態について、図面を参照しながら説明する。
【００２５】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２６】
図１及び図２において、レンズ駆動装置１は、バックヨーク１１と、カバー１２と、スリーブ１３と、第１の板バネ１４と、第２の板バネ１５と、ワイヤースプリング１６と、マグネット１７と、コイル１８と、台座１９と、を有している。なお、レンズ駆動装置１は、スリーブ１３を光軸方向Ｌに沿って、被写体（撮像対象）に近づくＡ方向（前側）、被写体とは反対側（像側）に近づくＢ方向（後側）の双方向に移動させるものである（図１参照）。また、スリーブ１３によって保持されるレンズは、説明の便宜上、図示を省略している。また、「保持部材」の一例としてのスリーブ１３は、ワイヤースプリング１６等と併せて「移動体」を構成する。
【００２７】
バックヨーク１１は、例えば鋼板などの強磁性板から構成され、角筒状を呈している。また、バックヨーク１１は、レンズ駆動装置１の側面で露出し、その側面部を構成している。カバー１２は、マグネット１７や第１の板バネ１４等の被写体側を覆うものであって、その中央には、被写体からの反射光をレンズに取り込むための円形の入射窓が形成されている。台座１９は、像側で撮像素子（図示せず）を保持するものである。
【００２８】
コイル１８は、第１のコイル１８１及び第２のコイル１８２から構成され、これらは光軸Ｌの方向に２段に配置され、いずれも円環状となっている。そして、スリーブ１３に巻き付けられるとともに、移動体を光軸方向に駆動する。マグネット１７は、第１のコイル１８１及び第２のコイル１８２に対して外周側で対向し、バックヨーク１１の内周面のうち４箇所の角部分に固定される。
【００２９】
マグネット１７は、図２に示すように、８個で構成され、いずれにおいても内面と外面とが異なる極に着磁されている。また、本実施形態では、マグネット１７では、例えば、前側に配置されたマグネット１７では内面がＮ極に着磁され、外面がＳ極に着磁され、後側に配置されたマグネット１７では、内面がＳ極に着磁され、外面がＮ極に着磁されている。
【００３０】
第１の板バネ１４及び第２の板バネ１５は、双方とも金属製の薄板から形成されており、光軸方向における厚さを同じにしている。また、第２の板バネ１５は、給電用バネとして機能している。具体的には、分割された２つのバネ片で構成され、一方のバネ片には、スリーブ１３に巻回されたコイル１８の一端が、他方のバネ片には、コイル１８の他端が半田付けで電気的に接続されている。
【００３１】
バックヨーク１１は、第１のコイル１８１及び第２のコイル１８２が配置されている領域の光軸方向の寸法、および、マグネット１７の光軸方向の寸法よりも大きくなっているため、マグネット１７と第１のコイル１８１との間に構成される磁路、及び、マグネット１７と第２のコイル１８２との間に構成される磁路からの漏れ磁束を少なくすることができ、その結果、スリーブ１３の移動量と、第１のコイル１８１及び第２のコイル１８２に流す電流との間のリニアリティを向上させることができるようになっている。
【００３２】
レンズ駆動装置１は、円環状のワイヤースプリング（磁性部材）１６を備えている。ワイヤースプリング１６は、マグネット１７との間に作用する磁気吸引力により、スリーブ１３に対して光軸方向の付勢力を印加する。このため、移動体（スリーブ１３等）が無通電時に自重で変位することを防止することができ、ひいては移動体（スリーブ１３等）に所望の姿勢を維持させることができる。
【００３３】
ここで、本実施形態に係るレンズ駆動装置１では、スリーブ１３の形状が特徴的である。具体的には、スリーブ１３は、光軸方向を軸方向として形成され、コイル１８が巻かれる第１のコイル巻回部１３１及び第２のコイル巻回部１３２と、コイル１８を案内する第１のコイルガイド部１３３，第２のコイルガイド部１３４，及び第３のコイルガイド部１３５と、を有している（図２参照）。以下、図３〜図７を用いて詳細に説明する。
【００３４】
［コイルガイド部］
図３は、レンズ駆動装置１からバックヨーク１１及びカバー１２を取り外したときの様子を示す斜視図である。図４は、図３から、コイル１８が巻回されたスリーブ１３だけを取り出したときの様子を示す図である。
【００３５】
図４に示すように、第１のコイルガイド部１３３は、第１のコイル巻回部１３１の一端に、スリーブ１３の径方向外側に突出するように、鍔状に形成されている。さらに、第１のコイルガイド部１３３には、第１コイル１８１（或いは第１のコイル巻回部１３１）の軸方向に対して所定の角度傾斜して対向する第１の傾斜ガイド部１３３ａ及び第２の傾斜ガイド部１３３ｂを有している。より具体的には、本実施の形態では、第１のコイルガイド部１３３では、第１の板バネ１４側から第１のコイル巻回部１３１に向って拡がる、ハの字のように形成されている。
【００３６】
また、第２のコイルガイド部１３４も、第１のコイル巻回部１３１の他端に、スリーブ１３の径方向外側に突出するように、鍔状に形成されている。さらに、第２のコイルガイド部１３４には、第１コイル１８１（或いは第１のコイル巻回部１３１）の軸方向に対して所定の角度傾斜して対向する第１の傾斜ガイド部１３４ａ及び第２の傾斜ガイド部１３４ｂを有している。
【００３７】
同様に、第２のコイル巻回部１３２の両端には、上述した第２のコイルガイド部１３４と第３のコイルガイド部１３５が、スリーブ１３の径方向外側に突出するように、鍔状に形成されている。より具体的には、本実施の形態では、第２のコイルガイド部１３４では、第１のコイルガイド部１３３側から第２のコイル巻回部１３２に向って拡がる、ハの字のように形成されている。
【００３８】
また、第１のコイルガイド部１３３、第２のコイルガイド部１３４、第３のコイルガイド部１３５の径方向外側への突出量は、第１、第２のコイル巻回部１３１、１３２に所定巻回数のコイルを巻回した高さよりも高くなっている。
【００３９】
そして、第１のコイルガイド部１３３において、第１の傾斜ガイド部１３３ａ及び第２の傾斜ガイド部１３３ｂでは、第１の板バネ１４側における離間間隔ｄ１と、第１のコイル巻回部１３１側における離間間隔ｄ２とは異なっている。同様に、第２のコイルガイド部１３４において、第１の傾斜ガイド部１３４ａ及び第２の傾斜ガイド部１３４ｂでは、第１のコイル巻回部１３１側における離間間隔ｄ３と、第２のコイル巻回部１３２側における離間間隔ｄ４とは異なっている。
【００４０】
なお、本実施形態では、ｄ１<ｄ２かつｄ３<ｄ４となっているが、例えば、ｄ１>ｄ２かつｄ３>ｄ４となっていてもよいし、ｄ１>ｄ２かつｄ３<ｄ４となっていてもよいし、ｄ１<ｄ２かつｄ３>ｄ４となっていてもよい。
【００４１】
図５は、コイル１８が巻回されていないスリーブ１３の外観を示す図である。なお、図５では、第２の板バネ１５も図示されている。図６は、図５に示すスリーブ１３を斜め下から見たときの外観を示す図である。図７は、スリーブ１３を他の側面から見たときの外観を示す図である。
【００４２】
本実施の形態では、図５及び図６に示すように、第１のコイルガイド部１３３において、第１の傾斜ガイド部１３３ａ，第２の傾斜ガイド部１３３ｂの第１の板バネ１４側先端部には、それぞれ方向支持部１３３ｃ及び方向支持部１３３ｄが形成され、巻回されるコイル１８の巻回する方向を転換する基点となっている。
【００４３】
一方、第１の傾斜ガイド部１３３ａ、第２の傾斜ガイド部１３３ｂの第１のコイル巻回部１３１側先端部は鈍角に形成されており、巻回するコイル１８が第１のコイル巻回部１３１の端部から巻き始められるようにしている。
【００４４】
より具体的には、第１の傾斜ガイド部１３３ａ（第２の傾斜ガイド部１３３ｂ）が形成された面と、第1のコイルガイド部１３３が第１のコイル巻回部１３１に壁状に形成された面との角度が鈍角となっている。
【００４５】
同様に、第２のコイルガイド部１３４において、第１の傾斜ガイド部１３４ａ，第２の傾斜ガイド部１３４ｂの第１のコイル巻回部１３１側先端部には、それぞれ方向支持部１３４ｃ及び方向支持部１３４ｄが形成され、巻回されるコイル１８が、第１のコイル巻回部１３１から第２のコイル巻回部１３２にわたり、第２のコイル巻回部１３２で巻回する方向を転換する基点となっている。
【００４６】
その一方、第１の傾斜ガイド部１３４ａ、第２の傾斜ガイド部１３４ｂの第２のコイル巻回部１３２側先端部は鈍角に形成されており、巻回するコイル１８が第２のコイル巻回部１３２の端部から巻き始められるようにしている。
【００４７】
より具体的には、第１の傾斜ガイド部１３４ａ（第２の傾斜ガイド部１３４ｂ）が形成された面と、第２のコイルガイド部１３４が第２のコイル巻回部１３２に壁状に形成された面との角度が鈍角となっている。
【００４８】
以上のとおり、コイル１８が第１のコイル巻回部１３１または第２のコイル巻回部１３２に巻き始める位置（箇所）は鈍角に形成されていることで、「整列巻き」と呼ばれる、第１のコイル巻回部１３１または第２のコイル巻回部１３２の軸方向において隣接する各巻が互いに密接した形態の巻き方がしやすいようになっている。このように、コイル１８を整列巻きすることで、限られたスペース内に有効にコイル１８を巻回することができ、コイル占積率を向上させて、水力等の向上を図ることができる。
【００４９】
なお、第１のコイルガイド部１３３及び第２のコイルガイド部１３４の角部は、面取形状となっている。
【００５０】
そして、例えば、傾斜ガイド部１３３ａで案内されたコイルは、第２のコイルガイド部１３４における他方の傾斜ガイド部１３４ｂの方向支持部１３４ｄによって第１のコイル巻回部１３１から第２のコイル巻回部１３２に引導される。逆に、傾斜ガイド部１３３ｂで案内されたコイルは、第２のコイルガイド部１３４における他方の傾斜ガイド部１３４ａの方向支持部１３４ｃによって第１のコイル巻回部１３１から第２のコイル巻回部１３２に引導される。詳細については、図８を用いて後述する。
【００５１】
なお、本実施形態では、マグネット１７が前側と後側とでは、いずれにおいても内面と外面とが異なる極に着磁されているので、第１のコイル巻回部１３１に巻回する第１のコイル１８１の巻回方向（電流の流れる方向）と、第２のコイル巻回部１３２に巻回する第２のコイル１８２の巻回方向（電流の流れる方向）とを逆にしている。このために、上述したような引導方法を考えたが、本発明はこれに限られず、マグネット１７が前側、後側とも内面と外面とが同じ極に着磁されている場合には第１のコイル巻回部１３１に巻回する第１のコイル１８１の巻回方向（電流の流れる方向）と、第２のコイル巻回部１３２に巻回する第２のコイル１８２の巻回方向（電流の流れる方向）とを同じにしてもよい。この場合、例えば、傾斜ガイド部１３３ａで案内されたコイル１８は、第２のコイルガイド部１３４における他方の傾斜ガイド部１３４ａの方向支持部１３４ｃによって第１のコイル巻回部１３１から第２のコイル巻回部１３２に引導されるようにする。
【００５２】
このように、第１のコイルガイド部１３３と第２のコイルガイド部１３４との間に、第１のコイル巻回部１３１が形成されるとともに、第２のコイルガイド部１３４より撮像素子側に設けられた第３のコイルガイド部１３５との間に第２のコイル巻回部１３２が形成されるようになっている。また、コイル１８は、いずれか第１のコイルガイド部１３３に案内されて第１のコイル巻回部１３１に巻回されるとともに、第２のコイルガイド部１３４に案内されて第２のコイル巻回部１３２に巻回される。
【００５３】
ここで、図６及び図７（ａ）〜（ｃ）に示すように、第２のコイルガイド部１３４には、第１のコイル巻回部１３１から第２のコイル巻回部１３２に向かって低くなる（すなわち径が小さくなる）傾斜部１３４ｅが形成されている。具体的には、図７よれば、傾斜部１３４ｅは、第１のコイル巻回部１３１から第２のコイル巻回部１３２に向かって低くなっている斜面から構成されている。すなわち、第１のコイル巻回部１３１に所定数巻回されたコイルは、第１のコイル巻回部１３１（第２のコイル巻回部１３２）が形成された面よりも高い位置となっており、巻回を始める第２のコイル巻回部１３２の面とは段差が生じているので、その段差間を斜面で形成している。さらに詳しく説明すれば、図７（ｃ）に示すとおり、傾斜部１３４ｅの第一のコイル巻回部１３１側の先端部１３４ｅ'は所定数巻回されたコイルの外表面の位置とほぼ同じ高さとなっている。これにより、第一のコイル巻回部１３１から第二のコイル巻回部１３２に移動するコイルは、宙吊りのような状態ではなく、傾斜部１３４ｅに載置し引導できるため、例えば、レンズ駆動装置を光軸方向に移動している際、他の部材等に接触、または断線することを防止することができる。なお、図７（ｃ）は、左側にコイル１８を巻いていない状態、右側にコイル１８を巻いている状態を示している。
【００５４】
図８は、スリーブ１３に対して給電用バネとしての第２の板バネ１５（図２参照）に電気的に接続されるコイル１８を巻回する方法の一例を示す図である。
【００５５】
図８において、まず、第一のコイル巻回部１３１にコイル１８１を巻回する。このとき、第一のコイル１８１の先端部１８１aは下記に説明するようにコイル半田付け部１４０ａへ誘導される。そして、先端部１８１a以外の第１のコイル１８１は、傾斜ガイド部１３３ｂの方向支持部１３３eによって折り曲げられ、第１のコイル巻回部１３１に撮像素子側（図８で言うと上側）からみて反時計回りに巻回されることになる。
【００５６】
続いて、第一のコイル１８１は方向支持部１３４ｃによって折り曲げられた後、第１の傾斜ガイド部１３４ａに沿って案内され、鈍角に形成された方向支持部１３４ｆによって再び折り曲げられて第２のコイル巻回部１３２に巻回されていく。この第２のコイル巻回部１３２に巻回されるコイルを、便宜上第２のコイル１８２という。第２のコイル巻回部１３２に巻回された第２のコイル１８２は、撮像素子側（図８で言うと上側）からみて時計回りに巻回されている。なお、第２のコイル１８２の先端部１８２aについては下記に説明する。
【００５７】
なお、コイル半田付け部１４０a、１４０ｂが第三のコイルガイド部１３５より撮像素子側（図８で言うと上側）に形成されており、給電用バネとして機能している分割された２つの第二の板バネ１５のバネ片とコイル１８の両先端とがそれぞれ半田付けされる。
【００５８】
具体的には、図８に示すように、巻き始めのコイル１８は、第３のコイルガイド部１３５に設けられたコイル半田付け部１４０ａで十分に半田付けできる程度の長さを残して、図示下側から第1コイルガイド部１３３の第２の傾斜ガイド部１３３ｂに沿って引導され、第１のコイル巻回部１３１に所定の巻回数巻回され、整列巻きされる。
【００５９】
第1のコイル巻回部１３１に所定の巻回数巻回された後、コイル１８は第１の傾斜ガイド部１３４ａの角部（図示では１３４ｃ）で方向を転換され、第1の傾斜ガイド部１３４ａや傾斜部１３４ｅの傾斜面に沿って引導される。その後、鈍角に形成された別の角部（図示では１３４ｆ）より、第２のコイル巻回部１３２上をコイルが所定の巻回数巻回され、整列巻きされる。
【００６０】
第２のコイル巻回部１３２を巻回したコイル１８の先端部１８２ａは、別のコイル半田付け部１４０ｂまで誘導される。その後、コイル１８の先端部１８２ａは、図示しない第２の板バネ１５の２分割された一方のバネ片に半田付けされて、第２の板バネ１５と電気的に接続される。
【００６１】
次に、第１のコイル巻回部１３１側のコイル１８の先端部１８１ａは方向支持部１３３ｄでコイル半田付け部１４０aに達するように、図４に示した第１の傾斜ガイド部１３３ａ及び第２の傾斜ガイド部１３３ｂにおける離間間隔ｄ１、離間間隔ｄ２、離間間隔ｄ３、および離間間隔ｄ４を通るように折り曲げられる。
【００６２】
なお、コイル先端部１８１ａの根元は、第１のコイル巻回部１３１に巻回されているコイル１８により、ほつれることはない。
【００６３】
そして、コイル先端部１８１ａは、第３のコイルガイド部１３５に設けられたコイル半田付け部１４０aに達し、半田付け部１４０ａで誘導される。その後、コイル１８の先端部１８１ａは、図示しない第２の板バネ１５の２分割された他方のバネ片に半田付けされて、第２の板バネ１５と電気的に接続される。
【００６４】
また、上述した離間間隔ｄ１、離間間隔ｄ３（図４参照）はコイル幅（例えば５０μｍ）以上あればよい。さらに、第一のコイルガイド部１３３又は第二のコイルガイド部１３４については、片巻き専用のコイルガイド部であってもよいし、
左右巻き専用の立体交差形状であってもよい。
【００６５】
［基本動作］
本実施形態に係るレンズ駆動装置１において、移動体は、通常（第１のコイル１８１及び第２のコイル１８２の無通電時）は、撮像素子側（像側）に位置する。このとき、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００６６】
このような状態において、第１のコイル１８１及び第２のコイル１８２に電流を流すと、第１のコイル１８１及び第２のコイル１８２は、左手のフレミングの法則により、それぞれ上向き（前側）の電磁力を受けることになる。これにより、第１のコイル１８１及び第２のコイル１８２並びにスリーブ１３は、被写体側（前側）に移動し始める。
【００６７】
このとき、第１の板バネ１４とスリーブ１３の前端との間、及び第２の板バネ１５とスリーブ１３の後端との間には、それぞれスリーブ１３の移動を規制する弾性力が発生する。このため、スリーブ１３を前側に移動させようとする電磁力と、スリーブ１３の移動を規制する弾性力が釣り合ったとき、スリーブ１３は停止する。また、第１のコイル１８１及び第２のコイル１８２に、逆方向の電流を流すと、第１のコイル１８１及び第２のコイル１８２は、それぞれ下向き（後側）の電磁力を受けることになる。
【００６８】
その際、第１のコイル１８１及び第２のコイル１８２に流す電流量と、第１の板バネ１４及び第２の板バネ１５によってスリーブ１３に働く弾性力を調整することで、スリーブ１３（移動体）を所望の位置に停止させることができる。なお、電磁力と弾性力との釣り合いを利用してスリーブ１３を停止させることで、衝突音の発生を防ぐことができるようになっている。
【００６９】
［実施形態の効果］
以上説明したように、本実施形態に係るレンズ駆動装置１によれば、第１のコイルガイド部１３３及び第２のコイルガイド部１３４は、少なくとも、それぞれ第１のコイル巻回部１３１（又は第２のコイル巻回部１３２）の軸方向に対して傾斜する第１の傾斜ガイド部１３３ａ及び第２の傾斜ガイド部１３４ａ（又は第２の傾斜ガイド部１３３ｂ及び第２の傾斜ガイド部１３４ｂ）を備えているので、第１のコイルガイド部１３３及び第２のコイルガイド部１３４によって、コイル１８の巻き始めから整列巻きをすることができ、ひいてはコイル１８を高密度で効率良く巻回することができる。
【００７０】
また、本実施形態に係るレンズ駆動装置１では、第２の傾斜ガイド部１３３ｂ及び第２の傾斜ガイド部１３４ｂが設けられるため、コイル１８に無理な屈折を与えることなく、コイル１８を第１のコイル巻回部１３１や第２のコイル巻回部１３２にガイドすることができる。
【００７１】
２個の傾斜ガイド部（第１の傾斜ガイド部１３３ａ（１３４ａ）及び第２の傾斜ガイド部１３３ａ（１３４ａ））を設けることで、保持部材としてのスリーブ１３の周方向において、どちらからも巻回できることから、巻回時に方向決めが不要となり、作業効率を向上させることができる。
【００７２】
また、例えば、鈍角に形成された、第1のコイルガイド部１３３の第１の傾斜ガイド部１３３ａで案内されたコイル１８は、第２のコイルガイド部１３４の第２の傾斜ガイド部１３４ｂの方向支持部１３４ｇによって第２のコイル巻回部１３２に引導されることとしたので、第２の傾斜ガイド部１３４ｂによって第２のコイル巻回部１３２に鈍角で入ったコイル１８を、整列巻きのために更に鈍角で整列巻きに引導することができる。
【００７３】
また、本実施形態に係るレンズ駆動装置１のスリーブ１３には、上述した傾斜部１３４ｅが形成されているので、第１のコイル巻回部１３１から第２のコイル巻回部１３２へコイル先端の断線等を防止し引導できる。さらに、上述したコイル引導口（第１の傾斜ガイド部１３３ａと第１の傾斜ガイド部１３３ｂの間の隙間、及び、第１の傾斜ガイド部１３４ａと第１の傾斜ガイド部１３４ｂの間の隙間）の中心が光軸方向において揃っている。これにより、ガイド部を集中して集めることで、省スペース化を図ることができる。
【００７４】
なお、第１のコイルガイド部１３３及び第２のコイルガイド部１３４の角部は、面取形状となっている。これにより、コイル１８が接触する部分が弧状であるため、コイル１８の表面又はコイル１８の表面コート剤の損傷を保護することができる。
【００７５】
また、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００７６】
本発明に係るレンズ駆動装置は、コイルの高密度化に資することが可能なレンズ駆動装置として有用である。
【図面の簡単な説明】
【００７７】
【図１】本発明の実施の形態に係るレンズ駆動装置の外観構成を示す斜視図である。
【図２】本発明の実施の形態に係るレンズ駆動装置の機械構成を示す分解斜視図である。
【図３】レンズ駆動装置からバックヨーク及びカバーを取り外したときの様子を示す斜視図である。
【図４】図３から、コイルが巻回されたスリーブだけを取り出したときの様子を示す図である。
【図５】コイルが巻回されていないスリーブの外観を示す図である。
【図６】図５に示すスリーブを斜め下から見たときの外観を示す図である。
【図７】スリーブを他の側面から見たときの外観を示す図である。
【図８】スリーブに対してコイルを巻回する方法の一例を示す図である。
【符号の説明】
【００７８】
１  レンズ駆動装置
１１  バックヨーク
１２  カバー
１３  スリーブ
１４  第１の板バネ
１５  第２の板バネ
１６  ワイヤースプリング
１７  マグネット
１８  コイル
１９  台座
【図１】
2009053573.tif 000003
【図２】
2009053573.tif 000004
【図３】
2009053573.tif 000005
【図４】
2009053573.tif 000006
【図５】
2009053573.tif 000007
【図６】
2009053573.tif 000008
【図７】
2009053573.tif 000009
【図８】
2009053573.tif 000010